(57)【特許請求の範囲】
【請求項１】
吸引した空気と塵埃とを旋回させる略円筒形の旋回室と、前記旋回室から塵埃が分離除去された空気を排出する排気口と、前記排気口から前記旋回室内側に設けられた略円筒形のフィルタと、前記フィルタの表面に摺接する環状の塵埃除去部材と、前記塵埃除去部材を摺動させる摺動軸とを有するサイクロン集塵器を備え、前記摺動軸を屈曲可能に構成したことを特徴とする電気掃除機。
【請求項２】
サイクロン集塵器に前記摺動軸を収納する収納部を設けたことを特徴とする請求項１記載の電気掃除機。
【請求項３】
吸引した空気と塵埃とを旋回させる略円筒形の旋回室と、前記旋回室から塵埃が分離除去された空気を排出する排気口と、前記排気口から前記旋回室内側に設けられたフィルタとをサイクロン集塵器を備え、前記フィルタは直径の小さいフィルタの表面に直径の大きいフィルタの先端部内壁が摺接し、最外郭のフィルタの表面は前記排気口周縁部に設けられた環状の塵埃除去部材が摺接することを特徴とする電気掃除機。
【請求項４】
塵埃除去部材のフィルタとの摺接部分を鋭角に構成したことを特徴とする請求項１または３いずれか記載の電気掃除機。
【請求項５】
塵埃除去部材を弾性材料で構成したことを特徴とする請求項１または３いずれか記載の電気掃除機。
【請求項６】
塵埃除去部材のフィルタとの摺接部分をブラシ状に構成したことを特徴とする請求項１または３いずれか記載の電気掃除機。
【請求項７】
塵埃除去部材のフィルタとの摺接部分を鋭角に構成し、かつ、ブラシ部を備えたことを特徴とする請求項１または３いずれか記載の電気掃除機。
【発明の詳細な説明】
【０００１】
【発明の属する技術分野】
本発明は、サイクロン集塵器を備えた電気掃除機に関するものである。
【０００２】
【従来の技術】
図１８は電気掃除機に搭載されて空気とともに吸引した塵埃を遠心分離して捕集する従来のサイクロン集塵器を示す断面図である。
【０００３】
図において、１０１は一端が開口した略円筒型のサイクロン旋回室であり、仕切板１０２により上下に仕切られている。１０３はサイクロン旋回室１０１の側面に形成された吸気口であり、塵埃を含んだ空気が吸引される。１０４は仕切板１０２と一体的に形成されたサイクロン旋回室１０１内の塵埃を堰き止めるリブ、１０５はサイクロン旋回室１０１の下部に設けられた塵埃を捕集する集塵部、１０６はサイクロン旋回室１０１の開口を覆うように着脱可能に設けられた蓋体、１０７は蓋体１０６内に形成された断面Ｌ字状の排気管であり、電動送風機（図示せず）と連通し、一端が蓋体１０６のサイクロン旋回室１０１側底面の略中央部に開口している。１０８はサイクロン旋回室１０１内に設けられ一端が排気管１０７と連結し、他端が仕切板１０２と接続された排気口、１０９は排気口１０８全体を覆うように接着されたメッシュフィルタである。
【０００４】
１１０はメッシュフィルタ１０９に沿って摺動可能なリングであり、内側にブラシ１１１が設けられ、ブラシ１１１がメッシュフィルタ１０９に摺接するように構成されている。１１２はリング１１０を上下に移動させる押圧部材、１１３は蓋体１０６に形成された嵌合穴、１１４は押圧部材１１２に設けられ嵌合穴１１３を介してリング１１０と連結されている連結シャフト、１１５は押圧部材１１２が押下された後に元の位置に戻すためのバネである。また、押圧部材１１２は安定して上下動作を可能とするためのガイド（図示せず）により側面を保持されている。また、押圧部材１１２の上下の可動距離はメッシュフィルタ１０９の長さ分を網羅するように設定されている。
【０００５】
電動送風機（図示せず）が駆動されると、排気管１０７を介して発生する吸引力により吸気口１０３から空気と塵埃がサイクロン旋回室１０１に吸引され、塵埃はサイクロン旋回室１０１内で旋回する。そして、旋回により塵埃に遠心力が作用し、塵埃はサイクロン旋回室１０１の内壁に押し当てられ、旋回速度が低下して塵埃は集塵部１０５に捕集される。吸引された塵埃の量が多くなると、塵埃はリブ１０４によって堰き止められ、集塵部１０５に堆積する。塵埃が分離除去された空気は排気口１０８から排気管１０７を介して電動送風機に吸引され、電気掃除機の外部に排出される。
【０００６】
サイクロン旋回室１０１内に吸引される塵埃のうち微小で密度の小さい塵埃は、サイクロン旋回室１０１内で旋回する気流による遠心力では十分に分離できないため、空気とともに排気口１０８に向い、メッシュフィルタ１０９表面に付着する。
【０００７】
メッシュフィルタ１０９に付着した塵埃を除去する際は、押圧部材１１２を手で下に押し下げ、リング１１０を下方向に押し下げる。これに伴い、ブラシ１１１がメッシュフィルタ１０９表面を摺動するため、メッシュフィルタ１０９表面に付着した塵埃は掻き取られ、仕切板１０２上に押し出されて堆積する。押圧部材１１２から手を離すと、ばね１１５の復元力により、リング１１０は初期位置に戻る。この動作により、メッシュフィルタ１０９が塵埃により目詰まりを起こさないように防いでいる。
【０００８】
【発明が解決しようとする課題】
しかしながら、従来の電気掃除機に搭載されたサイクロン集塵器の構成においては、メッシュフィルタ１０９の全面にブラシ１１１を摺動させる構成であるため、シャフト１１４の長さをメッシュフィルタ１０９の上下方向の長さ以上としなければならず、リング１１０が初期位置にあるとき、シャフト１１４及び押圧部材１１２をサイクロン旋回室１０１の上部に配置しなければならないため、サイクロン集塵器の形状が大きくなってしまい、取り回しがしづらく、使い勝手の悪い電気掃除機になってしまうという課題があった。
【０００９】
本発明は、上記のような課題を解決するためになされたもので、フィルタに付着した塵埃の除去が容易で、かつ装置の形状を大きくすることなくフィルタの塵埃を除去できるサイクロン集塵器を備えた電気掃除機を得ることを目的とするものである。
【００１０】
【課題を解決するための手段】
本発明に係わる電気掃除機は、吸引した空気と塵埃とを旋回させる略円筒形の旋回室と、前記旋回室から塵埃が分離除去された空気を排出する排気口と、前記排気口から前記旋回室内側に設けられた略円筒形のフィルタと、前記フィルタの表面に摺接する環状の塵埃除去部材と、前記塵埃除去部材を摺動させる摺動軸とを有するサイクロン集塵器を備え、前記摺動軸を屈曲可能に構成したものである。
【００１４】
また、サイクロン集塵器に前記摺動軸を収納する収納部を設けたものである。
【００１５】
また、吸引した空気と塵埃とを旋回させる略円筒形の旋回室と、前記旋回室から塵埃が分離除去された空気を排出する排気口と、前記排気口から前記旋回室内側に設けられたフィルタとを有するサイクロン集塵器を備え、前記フィルタは直径の異なる複数の略円筒形のフィルタが伸縮可能に挿着されて形成され、直径の小さいフィルタの表面に直径の大きいフィルタの先端部内壁が摺接し、最外郭のフィルタの表面は前記排気口周縁部に設けられた環状の塵埃除去部材が摺接するものである。
【００１６】
また、塵埃除去部材のフィルタとの摺接部分を鋭角に構成したものである。
【００１７】
また、塵埃除去部材を弾性材料で構成したものである。
【００１８】
また、塵埃除去部材のフィルタとの摺接部分をブラシ状に構成したものである。
【００１９】
また、塵埃除去部材のフィルタとの摺接部分を鋭角に構成し、かつ、ブラシ部を備えたものである。
【００２０】
実施の形態１．
図１は本発明の実施の形態１に係る電気掃除機の掃除機本体を示す部分断面図、図２は掃除機本体に搭載されるサイクロン集塵器の分解斜視図、図３はサイクロン集塵器の縦断面図である。
【００２１】
図において、１は掃除機本体、２は掃除機本体１の前方に設けられた吸気接続管、３は吸気接続管２に接続された吸気ホースであり、先端部には吸込具（図示せず）が連結されている。４は掃除機本体１に内蔵され、空気を吸引する電動送風機、５は掃除機本体１後方に設けられ、電動送風機４からの排気を掃除機本体１の外部に排出する本体排気口、６は掃除機本体１上に設けられ、電動送風機４によって吸引された空気と塵埃から塵埃のみを遠心分離させて捕集するサイクロン集塵器、７はサイクロン集塵器６からの排気を電動送風機４に導く排気接続管、８は排気接続管７に内装された微粒子捕集用のバックアップフィルタである。
【００２２】
サイクロン集塵器６は、一端が開口した略円筒形の中心軸を水平方向に配置してなるサイクロン旋回室９と、サイクロン旋回室９の湾曲面（円筒の側周面）から略水平方向に連結してなる横長形状の集塵室１０と、サイクロン旋回室９の湾曲面に開口し、集塵室１０に連通する塵埃排出口１１と、サイクロン旋回室９の下方部（掃除機本体１側）に開口したサイクロン吸入口１２と、サイクロン吸入口１２と吸気接続管２とを連通し、サイクロン旋回室９の接線方向に配置してなる吸入ダクト１３と、サイクロン旋回室９の開口部９ａに開口を覆うように設けられ、略中央にサイクロン排気口１４を有し、サイクロン排気口１４から排気された空気を排気接続管７に送出する排気ダグト１５と、サイクロン旋回室９内に配置され、サイクロン排気口１４に挿抜可能に嵌着された略円筒形の内筒フィルタ１６とから構成されている。
【００２３】
また、１７はサイクロン旋回室９の湾曲面に設けられ、集塵室１０を嵌合するための嵌合部である。なお、嵌合部１７と集塵室１０、およびサイクロン旋回室９と排気ダクト１５はそれぞれ分解可能に構成され、個別に洗浄が可能となっており、それぞれの嵌合面には、シール部材（図示せず）が挿入され、嵌合時に外部からの空気の流入がないように密閉される。
【００２４】
内筒フィルタ１６は、排気ダクト１５のサイクロン旋回室９とは反対側の側面に開口した挿抜口１８からサイクロン排気口１４を介してサイクロン旋回室９に挿抜可能に嵌着される。内筒フィルタ１６は湾曲面に複数の開口を有しており、サイクロン旋回室９への嵌挿部は排気ダクト１５への嵌挿部よりも円筒の直径が小さく構成されている。また、サイクロン旋回室９内側への嵌挿部分は周囲をメッシュ１９によって覆われている。内筒フィルタ１６はサイクロン排気口１４に嵌着された状態において、サイクロン旋回室９からの排気を排気ダクト１５に導く。内筒フィルタ１６は排気ダクト１５への嵌挿部の方がサイクロン旋回室９への嵌挿部よりも短く構成されている。内筒フィルタ１６の挿抜口１８側端面には排気ダクト１５の挿抜口１８を塞ぐ鍔状の蓋２０が設けられ、排気ダクト１５の挿抜口１８の周縁部に設けられた凹部２１に嵌着される。蓋２０の外側には内筒フィルタ１６の挿抜用のつまみ２２が設けられている。
【００２５】
なお、内筒フィルタ１６とサイクロン排気口１４、および、挿抜口１８との間には、それぞれ環状のシール部材２３、２４が設けられ気密が確保される。また、２５は排気ダクト１５のサイクロン排気口１４の周縁部に設けられた樹脂等の硬質材料から成る環状の塵埃除去部材であり、先端部が鋭角に構成され、内筒フィルタ１６の表面、メッシュ１９に摺接するように構成されている。
【００２６】
前記のように構成された電気掃除機において、電動送風機４が作動すると、排気接続管７、排気ダクト１５を介して空気が吸引され、空気とともに塵埃が吸気ホース３、吸気接続管２、吸入ダクト１３を介し、サイクロン吸入口１２よりサイクロン旋回室９に吸入される。この時、吸入ダクト１３はサイクロン旋回室９のサイクロン吸入口１２に接線方向に連結されているため、塵埃を含む空気はサイクロン旋回室９の内部で図１に示す矢印Ａの方向に高速旋回する。
【００２７】
塵埃はサイクロン旋回室９内での旋回運動により、遠心力を受けて、サイクロン旋回室９内の湾曲面内壁に向かい、やがて湾曲面内壁に押しつけられて旋回する。塵埃がサイクロン旋回室９の塵埃排出口１１に到達すると、集塵室１０内に流入し、捕集される。このとき、塵埃は集塵室１０の奥側、つまり掃除機本体１の後方に向かって流入し、集塵室１０の底に堆積する。塵埃排出口１１は集塵室１０内に捕集された塵埃が大きく攪拌されない程度の空気の流入量となるように開口されている。
【００２８】
また、空気はサイクロン旋回室９内を高速旋回しながら、メッシュ１９を介して内筒フィルタ１６より吸引されて、サイクロン排気口１４、排気ダクト１５、排気接続管７、バックアップフィルタ８を通り電動送風機４に吸引される。サイクロン旋回室９内で空気と分離されなかった塵埃のうち、メッシュ１９の目の開口よりも小さい微粒子は、空気と共にサイクロン排気口１４から排出され、バックアップフィルタ８により捕集されるが、メッシュフィルタ１９の目の開口よりも大きい塵埃はメッシュ１９に付着する。
【００２９】
例えば、細かい繊維などの質量の小さい塵埃は、サイクロン旋回室９内で遠心分離されにくいため、その一部は集塵室１０内に捕集されずに空気とともに内筒フィルタ１６に吸引され、メッシュ１９に付着する。メッシュ１９への塵埃の付着が増加すると、メッシュ１９が目詰まりし、これにより電気掃除機の吸塵性能が低下してしまう。
【００３０】
そこで、メッシュ１９に付着した塵埃を除去するためには、つまみ２２を持って、内筒フィルタ１６をサイクロン旋回室９から引き抜く。このとき、メッシュ１９に付着した塵埃が塵埃除去部材２５の先端により掻き取られ、サイクロン旋回室９内に落ちる。また、内筒フィルタ１６のメッシュ１９部分をサイクロン旋回室９から完全に抜き取るので、塵埃をメッシュ１９に残すことなく、掻き取れる。サイクロン旋回室９内に落ちた塵埃は、まとまって大きな塵埃の固まりとなり、電気掃除機の次の運転の際に、旋回気流に導かれて集塵室１０内に捕集される。また、内筒フィルタ１６は排気ダクト１５から完全に取り外すことが可能なため、容易に洗浄することもできる。
【００３１】
なお、本実施の形態１において、塵埃除去部材２５を樹脂等の硬質材料によって構成しているが、ゴム等の弾性部材によって構成してもよい。これにより、塵埃除去部材２５がメッシュ１９に摺接する力が強くなり、メッシュ１９に付着した塵埃の引き剥がし効果が大きくなる。また、内筒フィルタ１６とサイクロン排気口１４の気密性が向上する。
【００３２】
また、塵埃除去部材２５の内筒フィルタ１６との摺接部分を環状のブラシで構成し、ブラシ先端が内筒フィルタ１６に摺接するように構成してもよい。これにより、ブラシがメッシュ１９に付着した塵埃に絡みやすくなり、メッシュ１９に付着した塵埃の引き剥がし効果が大きくなる。
【００３３】
さらに、図４に示すように、塵埃除去部材２５を環状のブラシ２６の前段に配設した構成としてもよい。これにより、塵埃が大量に付着している場合に、前段の硬質材料による塵埃除去部材２５で大部分の塵埃を除去し、後段のブラシ２６により残った塵埃を完全に除去することができ、塵埃の引き剥がし効果が大きくなる。
【００３４】
実施の形態１によれば、サイクロン集塵器６のサイクロン排気口１４から内側へ略円筒型の内筒フィルタ１６をサイクロン旋回室９に対して挿抜可能に設け、また、サイクロン排気口１４周縁部には内筒フィルタ１６表面に摺接する環状の塵埃除去部材２５を備えたので、内筒フィルタ１６をサイクロン旋回室９より引き抜くことにより、フィルタに付着した塵埃を容易に確実に掻き落とすことができる。また、サイクロン集塵器６の小型化を図ることも可能となる。
【００３５】
実施の形態２．
図５は本発明の実施の形態２に係る電気掃除機のサイクロン集塵器を示す縦断面図、図６はサイクロン集塵器の排気ダクトと塵埃除去部材を示す部分斜視図である。なお、実施の形態１と同一部分または相当する部分には同じ符号を付し説明を省略する。
【００３６】
図において、２７は排気ダクト１５のサイクロン排気口１４から一体的に形成された塵埃除去部材であり、サイクロン旋回室９内側に設けられ、内筒フィルタ１６の湾曲面の軸方向と摺接する３本の樹脂等の硬質材料から構成されている。塵埃除去部材２７は、内筒フィルタ１６との摺接部分が鋭角に構成されており、環状部材２８によって連結されている。環状部材２８は、内筒フィルタ１６をサイクロン旋回室９に配置したとき、その端部が当接するような位置に設けられている。また、塵埃除去部材２７の内筒フィルタ１６に摺接しない面は湾曲状に構成され、サイクロン旋回室９内の旋回気流の抵抗を少なくしている。
【００３７】
メッシュ１９に付着した塵埃を除去する場合、内筒フィルタ１６のつまみ２２を回転させることにより、内筒フィルタ１６をサイクロン旋回室９内で回転させる。内筒フィルタ１６は塵埃除去部材２７に摺接しているので、メッシュ１９に付着した塵埃が塵埃除去部材２７に掻き取られ、サイクロン旋回室９内に落ちる。サイクロン旋回室９内に落ちた塵埃はまとまって大きな塵埃の固まりとなり、電気掃除機の次の運転の際に旋回気流に導かれて集塵室１０内に捕集される。また、内筒フィルタ１６は排気ダクト１５から完全に取り外すことが可能なため、容易に洗浄することもできる。
【００３８】
なお、本実施の形態２において塵埃除去部材２７を樹脂等の硬質材料によって構成しているが、ゴム等の弾性部材、あるいは、ブラシで構成してもよい。
【００３９】
実施の形態２によれば、内筒フィルタ１６を回転させることで、フィルタに付着した塵埃を容易に確実に掻き落とすことができる。また、サイクロン集塵器６の小型化を図ることも可能となる。
【００４０】
実施の形態３．
図７は本発明の実施の形態３に係る電気掃除機のサイクロン集塵器を示す縦断面図、図８は塵埃除去部材を示す部分斜視図である。なお、実施の形態１、２と同一部分または相当する部分には同じ符号を付し説明を省略する。
【００４１】
図において、２９は排気ダクト１５と一体的に形成された円筒形の内筒フィルタであり、排気ダクト１５のサイクロン排気口１４からサイクロン旋回室９内に延設されている。内筒フィルタ２９の湾曲面には開口部が形成され、メッシュ１９により覆われている。３０は内筒フィルタ２９の湾曲面の軸方向に摺接する３本の樹脂等の硬質材料からなる塵埃除去部材であり、内筒フィルタ２９との摺接部は鋭角に構成されている。また、図８に示すとおり、塵埃除去部材３０は、内筒フィルタ２９が当接する当接面３１ａとサイクロン排気口１４側に設けられた環状リング３１ｂによって連結されている。塵埃除去部材３０の内筒フィルタ２９に摺接しない面は湾曲状に構成され、サイクロン旋回室９内の旋回気流の抵抗を少なくしている。
【００４２】
３２は排気ダクト１５の外部に設けられた回転ノブ、３３は回転ノブ３２の回転を塵埃除去部材３０に伝達する伝達軸である。排気ダクト１５の側面、および、内筒フィルタ２９の側面には伝達軸３３を軸支する軸穴３４、３５が設けられており、伝達軸３３との間には環状のシール部材３６、３７が挿入されている。
【００４３】
メッシュ１９に付着した塵埃を除去する場合、回転ノブ３２を回転させることにより、塵埃除去部材３０を回転させる。このとき、メッシュ１９に付着した塵埃が塵埃除去部材３０により掻き取られ、サイクロン旋回室９内に落ちる。サイクロン旋回室９内に落ちた塵埃はまとまって大きな塵埃の固まりとなり、電気掃除機の次の運転の際に旋回気流に導かれて集塵室１０内に捕集される。
【００４４】
なお、本実施の形態３において塵埃除去部材３０を樹脂等の硬質材料によって構成しているが、ゴム等の弾性部材、あるいは、ブラシで構成してもよい。
【００４５】
実施の形態３によれば、塵埃除去部材３０を回転させることで、内筒フィルタ２９に付着した塵埃を容易に確実に掻き落とすことができる。また、塵埃除去部材３０を外側から操作できるため、旋回室を分解することなく、操作性が向上する。また、サイクロン集塵器６の小型化を図ることも可能となる。
【００４６】
実施の形態４．
図９は本発明の実施の形態４に係る電気掃除機のサイクロン集塵器を示す縦断面図、図１０はサイクロン集塵器の塵埃除去時の縦断面図、図１１はサイクロン集塵器の塵埃除去時の横断面図である。なお、実施の形態１〜３と同一部分または相当する部分には同じ符号を付し説明を省略する。
【００４７】
図において、３８は排気ダクト１５と一体的に形成された円筒形の内筒フィルタであり、サイクロン排気口１４からサイクロン旋回室９内に延設されている。内筒フィルタ２９の湾曲面には開口部が形成され、メッシュ１９により覆われている。３９は樹脂等の硬質材料から成る環状の塵埃除去部材であり、鋭角に構成された先端部がメッシュ１９に摺接する。４０は塵埃除去部材３９を内筒フィルタ３８の軸方向に摺動させるため摺動軸の一部を構成する摺動レバー、４１は摺動レバー４０と塵埃除去部材３９を連結する２本の連結軸であり、摺動レバー４０は枢支軸４２を介して連結軸４１に枢着されている。また、摺動軸は、摺動レバー４０、連結軸４１、枢支軸４２により形成されている。４３、４４は排気ダクト１５に形成された軸穴であり、それぞれ連結軸４１と摺動レバー４０を軸止している。また、軸穴４３、４４には排気ダクト１５とサイクロン旋回室９、および外部との気密を確保するためにシール部材４５、４６がそれぞれ設けられている。
【００４８】
電気掃除機の運転時は、塵埃除去部材３９をサイクロン排気口１４側に配置すれば、摺動レバー４０を枢支軸４２を支点として折りたたむことが可能となる。摺動レバー４０は例えば内筒フィルタ２９の中心軸に対して直交する方向に屈曲する。これにより、掃除中、摺動レバー４０が邪魔になることを防止できる。また、運転停止後にメッシュ１９に付着した塵埃を除去する場合は、摺動レバー４０を水平まで持ち上げ、図１０、図１１のようにサイクロン旋回室９側に押し込むことにより、メッシュ１９に付着した塵埃が塵埃除去部材３９により掻き取られ、サイクロン旋回室９内に落ちる。サイクロン旋回室９内に落ちた塵埃はまとまって大きな塵埃の固まりとなり、電気掃除機の次の運転の際に旋回気流に導かれて集塵室１０内に捕集される。
【００４９】
なお、本実施の形態４において塵埃除去部材３９を樹脂等の硬質材料によって構成しているが、ゴム等の弾性部材、あるいは、ブラシで構成してもよい。
【００５０】
実施の形態４によれば、摺動軸をサイクロン旋回室９側に押し込むことで、内筒フィルタ２９に付着した塵埃を容易に確実に掻き落とすことができる。また、通常は摺動軸を折りたたむことができるため、邪魔にならず使い勝手が向上する。また、サイクロン集塵器６の小型化を図ることも可能となる。
【００５１】
実施の形態５．
図１２、図１３は本発明の実施の形態５に係る電気掃除機のサイクロン集塵器の要部斜視図である。図１２は摺動レバーを収納していない状態を示し、図１３は摺動レバーを収納している状態を示している。実施の形態５は、実施の形態４に示す塵埃除去部材の摺動レバーを排気ダクトに収納する変形例を示すものであり、その他の構造は実施の形態４と同一であるので、同じ符号を付し説明を省略する。図において、４０ａは摺動レバーであり、枢支軸４２ａを介して上方向に屈曲可能に設けられている。１５ａは排気ダクト１５の外面に形成された凹上の収納部であり、摺動レバー４０ａが収納される。本実施の形態５によれば、摺動軸を折りたたむことができ、さらに、摺動レバー４０ａを排気ダクト１５に収納することができるため、外側への突出がなくなり、より形状の小さなサイクロン集塵器にすることができる。また、摺動レバー４０ａが邪魔にならず使い勝手がさらに向上する。
【００５２】
実施の形態６．
図１４は本発明の実施の形態６に係る電気掃除機のサイクロン集塵器の縦断面図、図１５はサイクロン集塵器の排気ダクトおよび内筒フィルタの部分斜視図、図１６はサイクロン集塵器の塵埃除去時の縦断面図、図１７はサイクロン集塵器の塵埃除去時の排気ダクトおよび内筒フィルタを示す部分斜視図である。なお、実施の形態１と同一部分には同一符号を付し説明を省略する。
【００５３】
図において、４７はサイクロン旋回室９内に設けられた円筒形の第１の内筒フィルタであり、サイクロン排気口１４に設けられた環状の塵埃除去部材２５に摺接する状態で嵌挿される。第１の内筒フィルタ４７は湾曲面に設けられた開口部が第１のメッシュ４８で覆われており、両端面が開口している。４９は第２の内筒フィルタであり、第１の内筒フィルタ４７の内側に嵌挿される。第２の内筒フィルタ４９の湾曲面に設けられた開口部は第２のメッシュ５０で覆われている。第１の内筒フィルタ４７の環状の先端部４７ａは鋭角に構成されており、第２の内筒フィルタ４９が摺接するように構成されている。また、第１の内筒フィルタ４７、および、第２の内筒フィルタ４９にはそれぞれの一端部に係止部５１、５２が設けられており、第１の内筒フィルタ４７はサイクロン排気口１４から、第２の内筒フィルタ４９は第１の内筒フィルタ４７から抜け落ちないように構成されている。５３、５４は第１の内筒フィルタ４７とサイクロン排気口１４、第１の内筒フィルタ４７と第２の内筒フィルタ４９の間の空気漏れを防ぐために設けられたシール部材であり、係止部５１、５２にそれぞれ設けられている。
【００５４】
５５は第１の内筒フィルタ４７、および、第２の内筒フィルタ４９を軸方向に摺動させるための摺動つまみ、５６は第２の内筒フィルタ４９の開口していない端面４９ａと摺動つまみ５５を連結する連結軸である。図１２に示すように、排気ダクト１５の側面には連結軸５６を軸支する軸穴５７と、摺動つまみ５５を係止する係止溝５８が設けられており、摺動つまみ５５と係止溝５８の間はシール部材５９によって気密が確保されている。６０は第１の内筒フィルタ４７の一端部内側に設けられた突起であり、第２の内筒フィルタ４９を収納したときに係止部５２と当接するように設けられている。
【００５５】
通常の電気掃除機の運転時は、図１４、図１５のように摺動つまみ５５をサイクロン旋回室９側に押し込んだ状態で、第１の内筒フィルタ４７と第２の内筒フィルタ４９をサイクロン旋回室９内に突出させて使用する。
【００５６】
メッシュ４８、５０に付着した塵埃を除去する場合は、摺動つまみ５５を引くことにより、第２の内筒フィルタ４９が第１の内筒フィルタ４７側に引き込まれる。このとき、第２のメッシュ５０に付着した塵埃が第１の内筒フィルタ４７の先端部４７ａにより掻き取られ、サイクロン旋回室９内に落ちる。さらに摺動つまみ５５を引き続けると、第２の内筒フィルタ４９が第１の内筒フィルタ４７端面付近に設けられた突起６０に当接し、第１の内筒フィルタ４７を排気ダクト１５内に引き込む。第１の内筒フィルタ４７と第２の内筒フィルタ４９は摺動つまみ５５を最大に引き出した場合に、図１６および図１７のように排気ダクト１５内に収まるように構成されている。このとき、第１のメッシュ４９に付着した塵埃が塵埃除去部材２５により掻き取られ、サイクロン旋回室９内に落ちる。サイクロン旋回室９内に落ちた塵埃はまとまって大きな塵埃の固まりとなり、電気掃除機の次の運転の際に旋回気流に導かれて集塵室１０内に捕集される。
【００５７】
実施の形態６によれば、複数のフィルタを伸縮させることで、内筒フィルタに付着した塵埃を容易に確実に掻き落とすことができる。また、サイクロン集塵器６の小型化を図ることも可能となる。
【００５８】
【発明の効果】
以上のように本発明によれば、サイクロン集塵器の旋回室排気口から内側に設けられた略円筒形のフィルタと、フィルタの表面に回転可能に摺接する塵埃除去部材と、塵埃除去部材を摺動させる摺動軸を備え、また、摺動軸を屈曲可能に構成したので、例えば摺動軸により塵埃除去部材を外部から摺動させ、摺動軸を旋回室側に押し込むことで、フィルタに付着した塵埃を掻き落とすことができる。したがって、旋回室を分解することなく、フィルタに付着した塵埃を確実に容易に除去できるとともに、形状の小さいサイクロン集塵器を備えた電気掃除機を得ることができる。また、通常は摺動軸を折りたたむことができるため、邪魔にならず使い勝手が向上する。
【００６２】
また、サイクロン集塵器に摺動軸を収納する収納部を設けたので、摺動軸の外側への突出がなくなり、より形状の小さなサイクロン集塵器にすることができる。また、摺動軸が邪魔にならず使い勝手がさらに向上する。
【００６３】
また、旋回室内の排気口を伸縮可能に嵌挿された複数の直径の異なる略円筒形のフィルタで覆うことにより、複数のフィルタを伸縮させることで、フィルタに付着した塵埃を掻き落とすことができるため、旋回室を分解することなく、フィルタに付着した塵埃を除去することが容易になるとともに、形状の小さいサイクロン集塵器を備えた電気掃除機を得ることができる。
【００６４】
また、塵埃除去部材のフィルタとの摺接部を鋭角に構成することにより、除去された塵埃がフィルタから離れやすくなるため、塵埃の除去効果の高いサイクロン集塵器を備えた電気掃除機を得ることができる。
【００６５】
また、塵埃除去部材を弾性材料で構成することにより、塵埃除去部材がフィルタに摺接する力が強くなるため、塵埃の除去効果の高いサイクロン集塵器を備えた電気掃除機を得ることができる。
【００６６】
また、塵埃除去部材のフィルタとの摺接部をブラシで構成することにより、ブラシがフィルタに付着した塵埃に絡みやすくなるため、塵埃の除去効果の高いサイクロン集塵器を備えた電気掃除機を得ることができる。
【００６７】
また、塵埃除去部材のフィルタとの摺接部に鋭角部とブラシ部とを備えたことにより、塵埃が大量に付着している場合に、塵埃除去部材の鋭角部が大部分の塵埃を除去し、わずかに残った塵埃をブラシ部が完全に除去するため、塵埃の除去効果の高いサイクロン集塵器を備えた電気掃除機を得ることができる。
【図面の簡単な説明】
【図１】  本発明の実施の形態１に係る電気掃除機の掃除機本体を示す部分断面図である。
【図２】  本発明の実施の形態１に係る電気掃除機のサイクロン集塵器を示す分解斜視図である。
【図３】  本発明の実施の形態１に係る電気掃除機のサイクロン集塵器を示す縦断面図である。
【図４】  本発明の実施の形態１に係る電気掃除機の他のサイクロン集塵器を示す縦断面図である。
【図５】  本発明の実施の形態２に係る電気掃除機のサイクロン集塵器を示す縦断面図である。
【図６】  本発明の実施の形態２に係る電気掃除機のサイクロン集塵器の排気ダクトと塵埃除去部材を示す部分斜視図である。
【図７】  本発明の実施の形態３に係る電気掃除機のサイクロン集塵器を示す縦断面図である。
【図８】  本発明の実施の形態３に係る電気掃除機のサイクロン集塵器の塵埃除去部材を示す部分斜視図である。
【図９】  本発明の実施の形態４に係る電気掃除機のサイクロン集塵器を示す縦断面図である。
【図１０】  本発明の実施の形態４に係る電気掃除機のサイクロン集塵器の塵埃除去時の縦断面図である。
【図１１】  本発明の実施の形態４に係る電気掃除機のサイクロン集塵器の塵埃除去時の横断面図である。
【図１２】  本発明の実施の形態５に係る電気掃除機のサクロン集塵器の要部斜視図である。
【図１３】  本発明の実施の形態５に係る電気掃除機のサクロン集塵器の要部斜視図である。
【図１４】  本発明の実施の形態６に係る電気掃除機のサイクロン集塵器を示す縦断面図である。
【図１５】  本発明の実施の形態６に係る電気掃除機のサイクロン集塵器の排気ダクトおよび内筒フィルタを示す部分斜視図である。
【図１６】  本発明の実施の形態６に係る電気掃除機のサイクロン集塵器の塵埃除去時の縦断面図である。
【図１７】  本発明実施の形態６に係る電気掃除機のサイクロン集塵器の塵埃除去時の排気ダクトおよび内筒フィルタを示す部分斜視図である。
【図１８】  従来のサイクロン集塵器を示す断面図である。
【符号の説明】
１  掃除機本体、２  吸気接続管、３  吸気ホース、４  電動送風機、
５  本体排気口、６  サイクロン集塵器、７  排気接続管、
８  バックアップフィルタ、９  サイクロン旋回室、１０  集塵室、
１１  塵埃排出口、１２  サイクロン吸入口、１３  吸入ダクト、
１４  サイクロン排気口、１５  排気ダクト、１５ａ  収納部、
１６  内筒フィルタ、１７  嵌合部、１８  挿抜口、１９  メッシュ、
２０  蓋、２１  凹部、２２  つまみ、２３  シール部材、２４  シール部材、
２５  塵埃除去部材、２６  ブラシ、２７  塵埃除去部材、２８  環状部材、
２９  内筒フィルタ、３０  塵埃除去部材、３１ｂ  環状リング、
３２  回転ノブ、３３  伝達軸、３４  軸穴、３５  軸穴、３６  シール部材、
３７  シール部材、３８  内筒フィルタ、３９  塵埃除去部材、
４０  摺動レバー、４０ａ  摺動レバー、４１  連結軸、４２  枢支軸、
４２ａ  枢支軸、４３  軸穴、４４  軸穴、４５  シール部材、
４６  シール部材、４７  第１の内筒フィルタ、４８  第１のメッシュ、
４９  第２の内筒フィルタ、５０  第２のメッシュ、５１  係止部、
５２  係止部、５３  シール部材、５４  シール部材、５５  摺動つまみ、
５６  連結軸、５７  軸穴、５８  係止溝、５９  シール部材、６０  突起。
【図１】
0003813882.tif 000002
【図２】
0003813882.tif 000003
【図３】
0003813882.tif 000004
【図４】
0003813882.tif 000005
【図５】
0003813882.tif 000006
【図６】
0003813882.tif 000007
【図７】
0003813882.tif 000008
【図８】
0003813882.tif 000009
【図９】
0003813882.tif 000010
【図１０】
0003813882.tif 000011
【図１１】
0003813882.tif 000012
【図１２】
0003813882.tif 000013
【図１３】
0003813882.tif 000014
【図１４】
0003813882.tif 000015
【図１５】
0003813882.tif 000016
【図１６】
0003813882.tif 000017
【図１７】
0003813882.tif 000018
【図１８】
0003813882.tif 000019